(57)【特許請求の範囲】
【請求項１】
傾斜した選別台上にシャワー装置から水を流すとともに、前記選別台に斜め上方に向かう振動を与え、粉砕した電線くずを前記選別台上に投入することにより、該粉砕物に含まれる銅材等を前記選別台上の上方に移動させて回収し、該粉砕物に含まれる樹脂くずを前記選別台上の下方に移動させて分離する電線くず高品位回収装置において、
前記選別台上の下方部分に、該選別台の幅方向に亘って該選別台上を流れる水の一部を堰き止める堰を設けるとともに、
前記選別台上の少なくとも一側部分に、前記堰により形成される水のプールの上端付近で一端が開口した水を流していないミスカット材回収通路を形成する仕切板を設け、
前記粉砕物に含まれる銅材等に樹脂くずが一部付着したミスカット材を、前記ミスカット材回収通路を介して分離回収することを特徴とする電線くず高品位回収装置。
【請求項２】
前記仕切板は、前記選別台上の両側部分に設けられ、
前記ミスカット材回収通路は、前記選別台上の両側部分に形成されることを特徴とする請求項１に記載の電線くず高品位回収装置。
【請求項３】
前記仕切板は、前記ミスカット材回収通路の開口部に対応する端部が前記選別台の幅方向中央部側に向かって屈曲していることを特徴とする請求項１または２に記載の電線くず高品位回収装置。
【請求項４】
前記ミスカット材は、前記ミスカット材回収通路上を上方に移動し、該ミスカット材回収通路の上部に設けられた回収口を通って回収されることを特徴とする請求項１乃至３のいずれか１項に記載の電線くず高品位回収装置。
【請求項５】
前記ミスカット材回収通路を介して分離されたミスカット材は、該ミスカット材回収通路の下部付近に設けられた回収口を通って回収されることを特徴とする請求項１乃至３のいずれか１項に記載の電線くず高品位回収装置。
【請求項６】
前記堰は、前記選別台の幅方向に亘って所定距離離間して複数列設けられることを特徴とする請求項１乃至５のいずれか１項に記載の電線くず高品位回収装置。
【請求項７】
前記シャワー装置は、
前記ミスカット材とともに回収され、フィルタでろ過された水が注水される一辺が低く形成された受箱と、
前記受箱の低く形成された一辺に設けられた所定の間隔の複数の仕切と、
を具備し、前記受箱からオーバーフローした水を前記仕切の間から前記選別台上に流すことを特徴とする請求項１乃至６のいずれか１項に記載の電線くず高品位回収装置。
【発明の詳細な説明】
【技術分野】
【０００１】
本発明は、電線くずを粉砕してその粉砕物に含まれる銅材等をその比重差を利用して回収する電線くず高品位回収装置に関し、特に、高純度の銅材等を高回収率で回収できるようにした電線くず高品位回収装置に関する。
【背景技術】
【０００２】
産業廃棄物等に含まれる電線くずが利用可能な有効資源として注目されている。電線くずから銅材を回収するには、一般に、電線くずを粉砕機で細かく粉砕し、その粉砕物に含まれる銅材をその比重差を利用して回収する乾式若しくは湿式の銅回収装置が知られている。
【０００３】
ここで、湿式の銅回収装置は、銅材を高品位、高回収率で回収することができることから有望な銅回収装置として注目されている。
【０００４】
この湿式の銅回収装置としては、特許文献１に記載されているように、斜めに傾斜した選別台の上面に水を流すとともに、この選別台に斜め上方に向かう振動を与え、この選別台上に粉砕した電線くずを投入することにより、粉砕物に含まれる銅材と樹脂くずとの比重差を利用して粉砕物から樹脂くずを分離して、銅材を回収するように構成されている。
【０００５】
投入された粉砕物に含まれる樹脂くずは、水より比重が小さいので、水に浮かび、水流により選別台の下方に移動する。これに対して、投入された粉砕物に含まれる銅材は、水より比重が大きいので、沈降して選別台の上面に接し、この状態で選別台に与えられた振動が作用して、銅材を選別台の上方に移動する。この現象を利用して電線くずの粉砕物から樹脂くずを分離して銅材を回収する。
【０００６】
ところで、上記粉砕物には、十分に粉砕されていず、銅材等に樹脂くずが一部付着した粉砕物（以下、ミスカット材という）が含まれており、上記銅回収装置では、このミスカット材をどのようにして分離回収するかが大きな問題となっている。
【０００７】
すなわち、上記ミスカット材には、銅材が含まれているので、このミスカット材に含まれる銅等を回収しないと、電線くずからの銅材等の回収率をさらに上げることはできないという問題があり、また、上記ミスカット材が回収した銅材に混合してしまうと、回収した銅材の純度が低下してしまうという問題がある。
【０００８】
そこで、特許文献１に記載された電線くずの銅回収装置においては、選別台２の下流側の端部に、選別台２の台面の下方に凹む受け槽２６を設け、この受け槽２６の前方壁に、受け槽２６の上層の浮遊物を排出する排出口を設けると共に、この受け槽２６の側方に、上記選別台２と一体に振動する第二選別台２７を上記選別台２に沿って斜めに設け、上記受け槽２６の底部に堆積する粉砕物を第二選別台２７の台面に連絡通路２８を通って供給し、この第二選別台２７の台面にシャワー装置２９により水を流すことによって、浮遊物をさらに分離してミスカット材を回収している。
【先行技術文献】
【特許文献】
【０００９】
【特許文献１】特開２００７−１３６４２７号公報
【発明の概要】
【発明が解決しようとする課題】
【００１０】
しかし、上記特許文献１に記載された構成においては、樹脂くずの分離率は向上しても、ミスカット材を効率よく回収することはできない。このために、特許文献１に記載された構成においては、銅材の回収率を高くすることができないという問題があった。
【００１１】
そこで、本発明はこのような問題を解決するためになされたものであり、その目的とするところは、粉砕物に含まれるミスカット材を効率よく分離回収できるようにして銅材等の回収率を向上させた電線くず高品位回収装置を提供することにある。
【課題を解決するための手段】
【００１２】
上記の目的を達成するため、本発明は、傾斜した選別台上にシャワー装置から水を流すとともに、前記選別台に斜め上方に向かう振動を与え、粉砕した電線くずを前記選別台上に投入することにより、該粉砕物に含まれる銅材等を前記選別台上の上方に移動させて回収し、該粉砕物に含まれる樹脂くずを前記選別台上の下方に移動させて分離する電線くず高品位回収装置において、前記選別台上の下方部分に、該選別台の幅方向に亘って該選別台上を流れる水の一部を堰き止める堰を設けるとともに、前記選別台上の少なくとも一側部分に、前記堰により形成される水のプールの上端付近で一端が開口した水を流していないミスカット材回収通路を形成する仕切板を設け、前記粉砕物に含まれる銅材等に樹脂くずが一部付着したミスカット材を、前記ミスカット材回収通路を介して分離回収することを特徴とする。
【００１３】
すなわち、本願発明においては、粉砕物に含まれるミスカット材は、その比重が粉砕物に含まれる銅材等の比重と粉砕物に含まれる樹脂くずの比重との間にあるので、選別台上に、該選別台の幅方向に亘って該選別台上を流れる水の一部を堰き止める堰を設けると、このミスカット材は、堰により形成される水のプールの上端付近の領域に集まるという現象に着目して、選別台上のミスカット材が集まる領域に一端が開口した水が流れないミスカット材回収通路を形成する仕切板を設け、このミスカット材回収通路を用いてミスカット材を分離回収するようにしている。
【００１４】
ここで、前記仕切板は、前記選別台上の一側部側に形成するようにしてもよいが、効率を考えると選別台上の両側部側に形成するのが好ましい。
【００１５】
また、前記仕切板は、その端部が前記選別台の幅方向中央部側に向かって屈曲しているように構成することができる。このような構成によると上記仕切板の屈曲部で水位が上昇するので、ミスカット材を効率よくミスカット材回収通路に導くことが可能になる。
【００１６】
また、ミスカット材回収通路には水が流れていないので、ミスカット材回収通路に導かれたミスカット材は、選別台の斜め上方に向かう振動によりミスカット材回収通路上を上方に移動する。この移動に伴って、ミスカット材からは水分が除かれるので、ミスカット材の回収口は、ミスカット材回収通路の上部に設けるのが好ましい。
【００１７】
ただし、ミスカット材から水分を除く必要がない場合は、ミスカット材の回収口を、ミスカット材回収通路の下部付近に設けてもよい。
【００１８】
また、前記堰は、前記選別台の幅方向に亘って所定距離離間して複数列設けられるように構成することができる。このような構成によると、堰と堰との間に未回収のミスカット材を堰と堰との間に沈殿させて回収することができる。
【００１９】
また、前記シャワー装置は、前記ミスカット材とともに回収され、フィルタでろ過された水が注水される一辺が低く形成された受箱と、前記受箱の低く形成された一辺に設けられた所定の間隔の複数の仕切と、を具備し、前記受箱からオーバーフローした水を前記仕切の間から前記選別台上に流すように構成することができる。
【００２０】
このような構成によると、受箱に注入された水に樹脂くずが混入していても、この樹脂くずは水に浮くので、シャワー装置で目詰まりして、均一な水流を得ることができなくなるという不都合は生じない。
【発明の効果】
【００２１】
本発明は、粉砕物に含まれるミスカット材は、堰により形成される水のプールの上端付近の領域に集まるという現象に着目して、選別台上に選別台上の上記ミスカット材が集まる上記領域に一端が開口した水が流れないミスカット材回収通路を形成する仕切板を設け、このミスカット材回収通路を用いてミスカット材を分離回収するようにしたので、ミスカット材を効率よく分離回収でき、これにより銅材等の回収率を大幅に向上させることができる。
【図面の簡単な説明】
【００２２】
【図１】図１は、本発明に係る電線くず高品位回収装置の実施例１を示す概略側面図である。
【図２】図２は、図１に示した実施例１の電線くず高品位回収装置の上面図である。
【図３】図３は、図１に示した実施例１の電線くず高品位回収装置における水の循環処理を説明するための図である。
【図４】図４は、図１に示した実施例１の電線くず高品位回収装置で用いるシャワー装置の一例を説明する図である。
【図５】図５は、本発明に係る電線くず高品位回収装置の実施例２を示す上面図である。
【発明を実施するための形態】
【００２３】
以下、本発明を実施するための実施例について、願書に添付した図面を参照しながら詳細に説明する。
【実施例１】
【００２４】
図１は、本発明に係る電線くず高品位回収装置の実施例１を示す概略側面図を示し、図２は、図１に示した実施例１の電線くず高品位回収装置の上面図を示す。
【００２５】
なお、本発明の電線くず高品位回収装置の回収対象である銅材等には、銅、アルミニューム、金等の配線くずに含まれる各種金属を含むが、以下に示す実施例においては、本発明の電線くず高品位回収装置の回収対象である銅材等が銅である場合について説明する。
【００２６】
図１および図２において、この電線くず高品位回収装置１００は、角度ｄ傾いて配設される選別台１０、この選別台１０に斜め上方のＸ方向の振動を与える振動発生装置２０、選別台１０上に水を流すシャワー装置３０、図示しない粉砕機で電線くずを粉砕した粉砕物を選別台１０上に投入する粉砕物投入装置４０、選別台１０の下端から粉砕物に含まれる樹脂くず４２を回収する樹脂くず回収ボックス５０、選別台１０の上端から粉砕物に含まれる銅材４１を回収する銅材回収ボックス６０、選別台１０上に設けられた仕切板１３、１４により形成されるミスカット材回収通路１５、１６を介して分離したミスカット材４３を回収するミスカット材回収ボックス７０を具備して構成される。
【００２７】
また、選別台１０の下方部分には、該選別台の幅方向に亘って該選別台上を流れる水の一部を堰き止める堰１１が設けられており、この堰１１によって、選別台１０上の下部一部に水のプール１２が形成される。
【００２８】
また、振動発生装置２０は、例えば、偏心モータから構成され、Ｘ方向のリンク２０ａを介して選別台１０の底面に設けられたリンク取付部１０ａに接続され、選別台１０にＸ方向の振動を与える。
【００２９】
また、樹脂くず回収ボックス５０の下面にはフィルタ５０ａが設けられており、樹脂くず回収ボックス５０の下面から回収した水を循環再利用するように構成されている。
【００３０】
なお、この実施例１では、選別台１０の角度ｄを５度に設定しているが、この角度ｄは、３度から１０度の範囲で設定可能である。
【００３１】
また、振動発生装置２０により選別台１０に与えられる振動方向Ｘは、この実施例１では４５度に設定されており、また、その振幅は２〜３ミリになるように設定されている。また、堰１１の高さは、この実施例１においては１０〜１５ミリに設定されている。
【００３２】
粉砕物投入装置４０から選別台１０上に投入される粉砕物には、銅材４１、樹脂くず４２、ミスカット材４３が含まれており、銅材４１の比重は７．９、樹脂くず４２の比重は０．９〜１．９の範囲、ミスカット材４３の比重は、銅材４１と樹脂くず４２の比重の間にある。
【００３３】
上記構成の電線くず高品位回収装置１００において、シャワー装置３０から選別台１０上に水を流していない状態で、粉砕物投入装置４０から粉砕物を選別台１０上に投入すると、粉砕物に含まれる銅材４１、樹脂くず４２、ミスカット材４３は、振動発生装置２０により選別台１０に与えられる振動により、小さなジャンプを繰り返しながら選別台１０上を上方に移動する。
【００３４】
さて、この電線くず高品位回収装置１００においては、シャワー装置３０により選別台１０の上面に均一な水流（図２で矢印Ｙで示す）を生じさせる。この水流により粉砕物投入装置４０から選別台１０上に投入された銅材４１、樹脂くず４２、ミスカット材４３を含む粉砕物は選別台１０の下方に流され、堰１１により形成されたプール１２に至り、ここで洗浄される。
【００３５】
ここで、銅材４１は、その比重は水より大きいので、このプール１２の底面に沈降して、選別台１０の上面に接し、振動発生装置２０により選別台１０に与えられる振動により、小さなジャンプを繰り返しながら選別台１０上を上方に移動する。図２の矢印Ａは、この銅材４１の移動方向を示す。
【００３６】
この選別台１０上を上方に移動した銅材４１は、選別台１０の上端で下方に落下し、銅材回収ボックス６０に回収される。
【００３７】
これに対して、樹脂くず４２は、その比重が水より小さいので、このプール１２でプールの上面に浮かび、水流により流されて選別台１０上を下方に移動し、堰１１を乗り越えて選別台１０の下端に至る。図２の矢印Ｂは、この樹脂くず４２の移動方向を示す。
【００３８】
この選別台１０上を下方に移動した樹脂くず４２は、水と共に選別台１０下端で下方に落下して樹脂くず回収ボックス５０に回収される。
【００３９】
一方、ミスカット材４３は、プール１２で沈降するが、その比重は、銅材４１と樹脂くず４２の比重の間にあるので、選別台１０上を上方に移動する力と、水流で下方に流す力とがほぼ等しくなり、プール１２の上端付近に留まり、このプール１２の上端付近で増え続ける。
【００４０】
この状態を放置すると、このミスカット材４３は、選別台１０上を上方に移動する力が大きくなり、いずれ上方に移動する。このミスカット材４３が銅材４１に混入してしまうと回収した銅材の品位が低下してしまうので、このミスカット材４３を除去する必要がある。
【００４１】
そこで、この実施例１では、選別台１０上の両側部に選別台１０の上端からプール１２の上端付近に至る仕切板１３、１４を設け、仕切板１３と仕切板１４との間の長さＬの領域は、シャワー装置３０から水を流すが、仕切板１３と仕切板１４により仕切られた選別台１０上の両側領域は水を流さないように構成して、仕切板１３と仕切板１４により仕切られた選別台１０上の両側領域にミスカット材回収通路１５、１６を形成し、このミスカット材回収通路１５、１６を介して、プール１２の上端付近に留まっているミスカット材４３を、回収するように構成されている。
【００４２】
なお、この実施例１においては、仕切板１３、１４のミスカット材回収通路１５、１６の開口部に対応する端部１３ａ、１４ａは、選別台１０の幅方向中央部側に向かって屈曲するように構成されている。
【００４３】
その理由は、プール１２の上端付近に留まっているミスカット材４３を効率よく選別台１０上の両側領域に形成されたミスカット材回収通路１５、１６に導くためである。
【００４４】
すなわち、仕切板１３、１４の端部１３ａ、１４ａを、選別台１０の幅方向中央部側に向かって屈曲するように構成すると、この部分でシャワー装置３０から流された水の水路は狭められるので、水位が上昇し、プール１２の上端付近に留まっているミスカット材４３を効率よく選別台１０上の両側領域に形成されたミスカット材回収通路１５、１６に導くことができる。
【００４５】
ミスカット材回収通路１５、１６に導かれたミスカット材４３は、ミスカット材回収通路１５、１６に水が流されていないので、振動発生装置２０により選別台１０に与えられる振動により、小さなジャンプを繰り返しながらミスカット材回収通路１５、１６を矢印Ｃに示す方向に移動する。
【００４６】
また、このミスカット材４３は、ミスカット材回収通路１５、１６を上方に移動する間に、水切りがなされ、ミスカット材回収通路１５、１６上方の回収口１５ａ、１６ａを通ってミスカット材回収ボックス７０に回収される。
【００４７】
なお、ミスカット材回収ボックス７０に回収されたミスカット材４３には、少量の銅材４１および樹脂くず４２が含まれるが、このミスカット材回収ボックス７０に回収されたミスカット材４３を、再び図示しない粉砕機で再粉砕して、粉砕物投入装置４０から選別台１０上に再投入することにより、銅材の再回収が可能になる。
【００４８】
このように、この実施例１によれば、ミスカット材４３に含まれる銅材も効率よく回収できるので、電線くずからの銅材の回収率をさらに向上させることができる。
【００４９】
なお、上記実施例１では、選別台１０上の両側部に仕切板１３、１４を設け、選別台１０上の両側領域にミスカット材回収通路１５、１６を形成し、ミスカット材４３を、このミスカット材回収通路１５、１６を介して回収するように構成したが、選別台１０上の片側部にのみ、仕切板を設けることにより、選別台１０上の片側領域にミスカット材回収通路を形成し、このミスカット材回収通路を介してミスカット材４３を回収するように構成してもよい。
【００５０】
また、この実施例１の電線くず高品位回収装置１００においては、図３に示すように、樹脂くず回収ボックス５０の下面に、フィルタ５０ａを設け、樹脂くず回収ボックス５０の下面から回収した水をフィルタ５０ａを介してシャワー装置３０に戻すことにより、選別台１０上に流した水を再利用する循環方式を採用している。
【００５１】
この循環方式を採用する場合、フィルタ５０ａで取り残した樹脂くずや飛散した樹脂くずの一部が水に混じり、この樹脂くずによりシャワー装置３０で目詰まりを起こし、均一な水流を得ることができない場合がある。シャワー装置３０で均一な水流を得ることができないと、選別台１０上で、水流の隙間ができ、この部分で樹脂くず４２が選別台１０上を上方に移動し、これが銅材４１に混入すると回収した銅材の品位が劣化する。
【００５２】
そこで、この実施例１においては、シャワー装置３０として、図４に示すようなオーバーフロー方式を採用する。
【００５３】
図４に示すシャワー装置３０においては、樹脂くず回収ボックス５０の下面から回収した水を長さＬの長方形の受箱３０ａに注入し、この受箱３０ａの一辺３０ｂを低くして、ここから水をオーバーフローさせて選別台１０上に流す。ここで、このオーバーフロー部には、所定の間隔Ｓ、例えば２ｃｍ間隔センチの複数の仕切３０ｃが設けられている。
【００５４】
このような構成によると、仕切３０ｃの作用により、選別台１０上に、シャワー状の均一な水を供給することができる。また、このとき、受箱３０ａに注入された水に樹脂くずが混入していても、この樹脂くずは水に浮くので、シャワー装置３０で目詰まりして、均一な水流を得ることができなくなるという不都合は生じない。
【実施例２】
【００５５】
図５に、本発明に係る電線くず高品位回収装置の実施例２を示す。図５は、本発明に係る電線くず高品位回収装置の実施例２の上面図を示している。
【００５６】
図５に示す実施例２の電線くず高品位回収装置２００は、ミスカット材回収通路１５、１６の回収口１５ａ、１６ａをミスカット材回収通路１５、１６の下部付近に設けた点および選別台１０の下方部分に設けた堰１１の代わり２重の堰１１ａ、１１ｂを設けた点が図１乃至４で説明した実施例１と異なる。その他の構成は図１乃至４で説明した実施例１と同様である。なお、図５においては、説明の便宜上、実施例１と同一の機能を果たす箇所に関して実施例１で用いた符号と同じ符号を付する。
【００５７】
この実施例２の電線くず高品位回収装置２００は、図１乃至４で説明した実施例１と同様に、選別台１０は、角度ｄ、例えば５度傾いて配設され、選別台１０には、図１に示した振動発生装置２０により、斜め上方４５度の角度で２〜３ミリの振幅の振動が与えられている。また、図１に示したシャワー装置３０により選別台１０の上面に均一な水流（図５で矢印Ｙで示す）を生じさせている。
【００５８】
また、選別台１０の下方部分に所定距離離間して２重の堰１１ａ、１１ｂが設けられ、堰１１ａにより選別台１０上の下部一部に水のプール１２ａが形成され、堰１１ｂによりプール１２ａの下方に水のプール１２ｂが形成されている。
【００５９】
また、選別台１０上の両側部に選別台１０の上端からプール１２ａの上端付近に至る仕切板１３、１４を設け、仕切板１３と仕切板１４との間の長さＬの領域は、シャワー装置３０から水を流すが、仕切板１３と仕切板１４により仕切られた選別台１０上の両側領域は水を流さないように構成して、仕切板１３と仕切板１４により仕切られた選別台１０上の両側領域にミスカット材回収通路１５、１６を形成している。
【００６０】
このような構成の電線くず高品位回収装置２００において、図１に示した粉砕物投入装置４０から選別台１０上に銅材４１、樹脂くず４２、ミスカット材４３を含む粉砕物が投入されると、この粉砕物は、シャワー装置３０からの水流により選別台１０の下方に流され、堰１１ａにより形成されたプール１２ａに至り、ここで洗浄される。
【００６１】
ここで、銅材４１は、その比重は水より大きいので、このプール１２ａで沈降して、選別台１０の上面に接し、振動発生装置２０により選別台１０に与えられる振動により、小さなジャンプを繰り返しながら選別台１０上を上方に移動する。図５の矢印Ａは、この銅材４１の移動方向を示す。この選別台１０上を上方に移動した銅材４１は、選別台１０の上端で下方に落下し、銅材回収ボックス６０に回収される。
【００６２】
これに対して、樹脂くず４２は、その比重が水より小さいので、このプール１２ａでプールの上面に浮かび、水流により流されて選別台１０上を下方に移動し、堰１１ａ、１１ｂを乗り越えて選別台１０の下端に至る。図５の矢印Ｂは、この樹脂くず４２の移動方向を示す。この選別台１０上を下方に移動した樹脂くず４２は、水と共に選別台１０の下端で下方に落下して樹脂くず回収ボックス５０に回収される。
【００６３】
一方、ミスカット材４３は、プール１２の上端付近に留まる。このミスカット材４３は、ミスカット材回収通路１５、１６に導かれ、振動発生装置２０により選別台１０に与えられる振動により、小さなジャンプを繰り返しながらミスカット材回収通路１５、１６を上方に移動し、回収口１５ａ、１６ａから矢印Ｃ方向に回収される。
【００６４】
ここでは、ミスカット材回収通路１５、１６の長さが短いので、ミスカット材４３の十分な水切りはなされない。
【００６５】
なお、ミスカット材回収ボックス７０に回収されたミスカット材４３には、少量の銅材４１および樹脂くず４２が含まれ、また、堰１１ａの上流側および堰１１ａと堰１１ｂの間には、少量のミスカット材４３が沈殿する。この堰１１ａの上流側および堰１１ａと堰１１ｂの間に沈殿されたミスカット材４３は回収口１５ａ、１６ａから回収したミスカット材４３と共に、再び図示しない粉砕機で再粉砕して、粉砕物投入装置４０から選別台１０上に再投入する。
【００６６】
このように、この実施例２によれば、堰１１ａの上流側および堰１１ａと堰１１ｂの間に沈殿されたミスカット材４３も含めて、ミスカット材４３に含まれる銅材の回収が可能になるので、電線くずからの銅材の回収率を更に向上させることができる。
【００６７】
なお、上記実施例２においても、選別台１０上の片方の側部にのみ仕切板を設け、選別台１０上の片側領域にミスカット材回収通路を形成することにより、ミスカット材４３を、このミスカット材回収通路を介して回収するように構成してもよい。
【００６８】
また、ミスカット材回収通路１５、１６の回収口１５ａ、１６ａは、ミスカット材回収通路１５、１６の下部付近に設けたが、実施例１と同様にミスカット材回収通路１５、１６の上方に設けてもよい。
【００６９】
なお、上記実施例においては、本発明の電線くず高品位回収装置の回収対象が銅材である場合について説明したが、回収対象が、アルミニューム、金等の配線くずに含まれるその他の金属である場合も同様に構成することができる。
【００７０】
なお、本発明は上述の実施形態に限定されるものではなく、本発明の技術的思想の範囲内であれば、当業者の通常の創作能力によって多くの変形が可能である。
【符号の説明】
【００７１】
１０…選別台
１０ａ…リンク取付部
１１…堰
１１ａ…堰
１１ｂ…堰
１２…プール
１２ａ…プール
１２ｂ…プール
１３…仕切板
１４…仕切板
１５…ミスカット材回収通路
１５ａ…回収口
１６…ミスカット材回収通路
１６ａ…回収口
２０…振動発生装置
２０ａ…リンク
３０…シャワー装置
３０ａ…受箱
４０…粉砕物投入装置
４１…銅材
４２…樹脂くず
４３…ミスカット材
５０…樹脂くず回収ボックス
５０ａ…フィルタ
６０…銅材回収ボックス
７０…ミスカット材回収ボックス
１００…電線くず高品位回収装置
２００…電線くず高品位回収装置
【要約】粉砕物に含まれるミスカット材を効率よく分離回収できるようにして銅材等の回収率を向上させた電線くず高品位回収装置を提供する。
【課題】選別台１０上の下方部分に、選別台１０の幅方向に亘って選別台１０上を流れる水の一部を堰き止める堰１１を設けると、粉砕物に含まれるミスカット材４３は、堰１１により形成される水のプール１２の上端付近の領域に集まるので、選別台１０上に選別台１０上のミスカット材４３が集まる上記領域に一端が開口した水が流れないミスカット材回収通路１５、１６を形成する仕切板１３、１４を設け、このミスカット材回収通路１５、１６を用いてミスカット材４３を分離回収する。
【選択図】図１【図１】
0004823392.tif 000002
【図２】
0004823392.tif 000003
【図３】
0004823392.tif 000004
【図４】
0004823392.tif 000005
【図５】
0004823392.tif 000006